(57)【要約】【課題】磁気吸引力を増加させ得る電磁弁を提供する。【解決手段】ステータコア２３のコア部４０との間に生じる磁気吸引力により軸方向に移動するプランジャ２４には、磁性材料と非磁性材料とを接合したシャフト２５がその磁性部位２５ａを当該プランジャ２４の中心孔２４ａに圧入することにより同軸的に固定されている。そして、このシャフト２５は、その非磁性部位２５ｂにてステータコア２３のコア部４０の内周面４４により摺動自在に支持されている。【選択図】図１
2009203993.tif 000002
【特許請求の範囲】
【請求項１】
互いに同軸的に配置されたヨーク部とコア部とそれらの間に設けられた磁気抵抗部とを有するステータコアと、
前記ステータコア内に配置されて前記コア部との間に生じる磁気吸引力により軸方向に移動するプランジャと、
前記ステータコアを励磁して前記磁気吸引力を発生させるコイルと、
前記ステータコアに取り付けられる弁スリーブと、
前記弁スリーブに摺動自在に案内支持されて前記プランジャの移動に応じて作動するスプールと、
を備える電磁弁であって、
前記プランジャには、磁性材料と非磁性材料とを接合したシャフトがその磁性材料で構成される部位を当該プランジャのスプール側端面に設けられる凹部に挿入することにより同軸的に固定され、
前記シャフトは、その非磁性材料で構成される部位にて前記ステータコアのコア部の内周面により摺動自在に支持されることを特徴とする電磁弁。
【請求項２】
前記ステータコアは、前記ヨーク部と前記コア部とを連結する薄肉部により前記磁気抵抗部を構成することを特徴とする請求項１に記載の電磁弁。
【発明の詳細な説明】
【技術分野】
【０００１】
本発明は、コイルに供給される電流に応じたプランジャの移動によりスプールを作動させる電磁弁に関するものである。
【背景技術】
【０００２】
従来より、コイルに供給される電流に応じたプランジャの移動によりスプールを作動させる電磁弁として、下記特許文献１に示す電磁弁装置が知られている。この電磁弁装置は、コイルに電流を供給することにより、ヨーク、プランジャおよびステータコアによって構成された磁気回路に磁束を流す。これにより、ステータコアの吸引部とプランジャとの間に磁気吸引力が発生する。
【０００３】
このとき、コイルに供給する電流値が制御されることにより、プランジャが当該プランジャに圧入固定されるシャフトを介してスプールを反リニアソレノイド方向へ押す力を調整し、出力ポートから流出する作動油の油圧が調整される。
【特許文献１】特開２００１−０６８３３５号公報
【発明の開示】
【発明が解決しようとする課題】
【０００４】
ところで、プランジャに圧入されるシャフトをステータコアのコア部により摺動自在に支持する場合には、プランジャからシャフトを介してコア部に磁束が漏れないように、非磁性材料のシャフトが採用される。
【０００５】
しかしながら、非磁性材料のシャフトをプランジャに圧入すると、この圧入された部分を磁気回路構成材として使用することができないため、磁気吸引力を増加させることが困難であった。
【０００６】
本発明は、上述した課題を解決するためになされたものであり、その目的とするところは、磁気吸引力を増加させ得る電磁弁を提供することにある。
【課題を解決するための手段】
【０００７】
上記目的を達成するため、特許請求の範囲に記載の請求項１の電磁弁では、互いに同軸的に配置されたヨーク部（３０）とコア部（４０）とそれらの間に設けられた磁気抵抗部（５１）とを有するステータコア（２３）と、前記ステータコア内に配置されて前記コア部との間に生じる磁気吸引力により軸方向に移動するプランジャ（２４）と、前記ステータコアを励磁して前記磁気吸引力を発生させるコイル（２２）と、前記ステータコアに取り付けられる弁スリーブ（７０）と、前記弁スリーブに摺動自在に案内支持されて前記プランジャの移動に応じて作動するスプール（８０）と、を備える電磁弁（１０）であって、前記プランジャには、磁性材料と非磁性材料とを接合したシャフト（２５）がその磁性材料で構成される部位（２５ａ）を当該プランジャのスプール側端面に設けられる凹部（２４ａ）に挿入することにより同軸的に固定され、前記シャフトは、その非磁性材料で構成される部位（２５ｂ）にて前記ステータコアのコア部の内周面（４４）により摺動自在に支持されることを技術的特徴とする。
【発明の効果】
【０００８】
請求項１の発明では、プランジャには、磁性材料と非磁性材料とを接合したシャフトがその磁性材料で構成される部位を当該プランジャのスプール側端面に設けられる凹部、例えば中心孔に挿入することにより同軸的に固定されている。そして、このシャフトは、その非磁性材料で構成される部位にてステータコアのコア部側の内周面により摺動自在に支持される。
【０００９】
このように、プランジャの凹部にはシャフトの磁性材料で構成される部位が挿入されているので、この磁性材料で構成される部位が磁気回路構成材として使用でき、磁気吸引力を増加させることができる。
【００１０】
また、プランジャは、シャフトの非磁性材料で構成される部位によりステータコアのコア部側の内周面にて摺動自在に支持されることとなるので、支持部であるシャフトからコア部への磁束の漏れを防止することができる。
したがって、プランジャとステータコアとの間の磁気吸引力を増加させることができる。また、このような磁気吸引力の増加により、電磁弁の小型化を図ることもできる。
【００１１】
請求項２の発明では、ステータコアは、ヨーク部とコア部とを連結する薄肉部により上記磁気抵抗部を構成する。これにより、ステータコアにおいて、ヨーク部とコア部とが磁気抵抗部となるエアギャップを介して対向するように別体で形成される場合と比較して、同軸度が小さくなり、磁気吸引力を増加させる効果に加えてプランジャの摺動不良を抑制することができる。
【発明を実施するための最良の形態】
【００１２】
［第１実施形態］
以下、本発明の第１実施形態について図１を参照して説明する。図１は、本第１実施形態に係る電磁弁１０の構成概要を示す断面図である。
電磁弁１０は、例えば、車両用自動変速機のオイルパン内部において油圧制御に用いられるもので、ソレノイド部２０と、そのソレノイド部２０の一端に設けられたスプール部６０とによって構成されている。ソレノイド部２０は、主に、磁性材料により有底円筒状に形成されるカバー２１、コイル２２、ステータコア２３およびプランジャ２４等を備えており、スプール部６０は弁スリーブ７０とスプール８０等を備えている。
【００１３】
ステータコア２３は、磁性材料よりなるヨーク部３０及びコア部４０を備えており、ヨーク部３０およびコア部４０は、磁気抵抗部（エアギャップ）５１により磁気的に分離された状態にて、非磁性材料よりなるステンレスリング５２を介して互いに同軸的に配置されている。
【００１４】
ヨーク部３０は、環状のフランジ部３１とこのフランジ部３１の中央から円筒状に突出する円筒部３２とを備えている。
【００１５】
コア部４０は、略環状のフランジ部４１の中央近傍から吸引部４２が突出するように形成されている。吸引部４２は、プランジャ２４に対して磁気吸引力を発揮する役割を果たすもので、この吸引部４２には、要求される吸引力特性等に応じて所定の勾配を有するようにテーパ部４２ａが形成されている。コア部４０には、反スプール側に内周面４３を有する反スプール側内周穴と、スプール側に内周面４４を有するスプール側内周穴とが同軸的に形成されている。反スプール側内周穴は、その内径がヨーク部３０における円筒部３２の中心穴の内径に等しくあるいはそれ以上になるように形成されており、その深さがプランジャ２４に必要なストロークより僅かに大きくなるように設定されている。
【００１６】
ヨーク部３０は、フランジ部３１がカバー２１の底部に嵌合するようにカバー２１に収納されている。また、コア部４０は、フランジ部４１がカバー２１の開口端に嵌合されるようにカバー２１に収納されている。フランジ部３１とフランジ部４１との間であって円筒部３２および吸引部４２の外周にはボビンに巻回されたコイル２２が配置されている。
【００１７】
磁性材料からなるプランジャ２４のスプール側端面中央には中心孔２４ａが形成されており、この中心孔２４ａには、純鉄材（ＳＵＹ）や低炭素鋼等の磁性材料とＳＵＳ３０４やＳＵＳ３０３、オーステナイト系ステンレス等（アルミニウムやその合金、銅やその合金でもよい）の非磁性材料とを圧接して構成されるシャフト２５がその磁性部位２５ａにて圧入によりプランジャ２４に対して同軸的に固定されている。
【００１８】
シャフト２５は、その非磁性部位２５ｂの外周面にて、ステータコア２３のコア部４０の内周面４４に摺動自在に支持されている。これにより、プランジャ２４は、ステータコア２３内に同軸的であって摺動自在に支持されることとなる。
【００１９】
このプランジャ２４は、ステータコア２３におけるコア部４０の吸引部４２との間に生じる磁気吸引力により、当該吸引部４２に近接する軸方向（スプール側）に移動する。
【００２０】
このようにソレノイド部２０が構成されることにより、コイル２２への通電に応じて、カバー２１、ステータコア２３およびプランジャ２４に加えてシャフト２５の磁性部位２５ａとでもって磁気回路が構成されることとなる。
【００２１】
このとき、プランジャ２４は、シャフト２５の非磁性部位２５ｂによりステータコア２３のコア部４０の内周面４４にて摺動自在に支持されることとなるので、支持部であるシャフト２５の非磁性部位２５ｂからコア部４０へ磁束が漏れることもない。
【００２２】
カバー２１の開口端側に位置するフランジ部４１の外側面には、スプール８０を摺動可能に嵌装する弁スリーブ７０が配設されている。そして、カバー２１の開口側筒状端部２１ａを、弁スリーブ７０に形成されたフランジ部７１とフランジ部４１とを接合させた状態でかしめることにより、ソレノイド部２０とスプール部６０とが一体結合されている。
【００２３】
弁スリーブ７０には、径の異なる第１弁孔７２と第２弁孔７３が形成されるとともに、この第２弁孔７３に接続するばね収容孔７４が形成されている。これら各弁孔７２、７３およびばね収容孔７４は、ステータコア２３およびプランジャ２４と同軸上に延びるように形成されている。
【００２４】
スプール８０には、第１弁孔７２に嵌合する第１ランド部８１および第２ランド部８２と、第２弁孔７３に嵌合する第３ランド部８３が設けられており、第２ランド部８２と第３ランド部８３は互いに隣接して設けられている。
【００２５】
第１ランド部８１および第２ランド部８２は軸方向に所定量離間して設けられ、小径部８４によって互いに連結されている。小径部８４に対応して環状溝７５が前記弁スリーブ７０に形成され、この環状溝７５に制御圧を出力する出力ポート７６が連通されている。
【００２６】
また、弁スリーブ７０には、第１ランド部８１および第２ランド部８２の互いに対向する端面にそれぞれ対応して開口する排出ポート７７および供給ポート７８が形成されている。さらに、弁スリーブ７０には、ばね収容孔７４に開口するドレンポート７９が形成されている。なお、スプール８０の一端には、シャフト２５のスプール側端面に当接するシャフト部８５が突設されている。
【００２７】
ばね収容孔７４の開口端はその内周面に形成されたねじ孔に螺合するプラグ９０によって閉塞され、このプラグ９０とスプール８０の間にばね９１が設けられている。スプール８０は、ばね９１の付勢力によってプランジャ２４に向けて押圧され、これにより、スプール８０のシャフト部８５を介してプランジャ２４が、通常カバー２１の底面に当接する初期位置に保持されている。かかるプランジャ２４の初期位置において、プランジャ２４のスプール側端縁は、コア部４０の吸引部４２の端部に軸方向にてほぼ一致するように配置されている（図１参照）。
【００２８】
このように構成される本第１実施形態に係る電磁弁１０の作用について、以下に説明する。コイル２２が非励磁状態の場合には、スプール８０は、ばね９１の付勢力によりプランジャ２４を反スプール方向に押圧し、プランジャ２４をカバー２１の底面に当接する初期位置に保持している。この非励磁状態においては、出力ポート７６は、供給ポート７８との連通が遮断されているとともに、排出ポート７７に連通され、これによって出力ポート７６は低圧に保持されている。
【００２９】
一方、コイル２２に通電して励磁すると、カバー２１、ステータコア２３、プランジャ２４およびシャフト２５の磁性部位２５ａでもって磁気回路が構成されて、コア部４０の吸引部４２とプランジャ２４との間に磁気吸引力が発生する。この磁気吸引力により、プランジャ２４が吸引部４２側へ引き寄せられて、スプール８０がばね９１の付勢力に抗して反プランジャ方向に移動する。この移動により、第２ランド部８２が供給ポート７８を開口し始めるとともに、第１ランド部８１が排出ポート７７の開口面積を制限し始めるので、出力ポート７６の制御圧は次第に上昇される。
【００３０】
このように本第１実施形態に係る電磁弁１０では、コイル２２に通電される電流値に応じてコア部４０の吸引部４２とプランジャ２４との間で発生する磁気吸引力と、ばね９１の付勢力とがバランスする位置にスプール８０が保持され、これによって上記制御圧はコイル２２に通電された電流値に応じた圧力に制御される。
【００３１】
以上説明したように、本実施形態に係る電磁弁１０では、ステータコア２３のコア部４０との間に生じる磁気吸引力により軸方向に移動するプランジャ２４には、磁性材料と非磁性材料とを接合したシャフト２５がその磁性部位２５ａを当該プランジャ２４の中心孔２４ａに圧入することにより同軸的に固定されている。そして、このシャフト２５は、その非磁性部位２５ｂにてステータコア２３のコア部４０の内周面４４により摺動自在に支持されている。
【００３２】
このように、プランジャ２４の中心孔２４ａにはシャフト２５の磁性部位２５ａが圧入されているので、この磁性部位２５ａが磁気回路構成材として使用でき、磁気吸引力を増加させることができる。
【００３３】
また、プランジャ２４は、シャフト２５の非磁性部位２５ｂによりステータコア２３のコア部４０の内周面４４にて摺動自在に支持されることとなるので、支持部であるシャフト２５からコア部４０への磁束の漏れを防止することができる。
したがって、プランジャ２４とステータコア２３との間の磁気吸引力を増加させることができる。また、このような磁気吸引力の増加により、電磁弁１０の小型化を図ることもできる。
【００３４】
［第２実施形態］
次に、本発明の第２実施形態について図２を参照して説明する。図２は、本発明の第２実施形態に係る電磁弁１０の構成概要を示す断面図である。
本第２実施形態に係る電磁弁１０は、上記第１実施形態にて述べた磁気抵抗部５１およびステンレスリング５２に代えて、薄肉部５３を採用している点が、上記第１実施形態に係る電磁弁と異なる。したがって、第１実施形態の電磁弁と実質的に同一の構成部分には、同一符号を付し、その説明を省略する。
【００３５】
図２に示すように、ステータコア２３は、上述したヨーク部３０の円筒部３２とコア部４０の吸引部４２とを薄肉部５３により一体に連結するように構成されている。薄肉部５３は、上記磁気回路において、磁気抵抗部５１と同様に、ヨーク部３０とコア部４０との間の磁束の漏れを低減して吸引部４２とプランジャ２４との間の磁気吸引力を増加させる磁気抵抗部としての役割を果たす。なお、ヨーク部３０のフランジ部３１は、円筒部３２および吸引部４２の外周にボビンに巻回されたコイル２２を配置するために、円筒部３２と別部材になっている。
【００３６】
これにより、ステータコア２３において、ヨーク部３０とコア部４０とが磁気抵抗部となるエアギャップを介して対向するように別体で形成される場合と比較して、同軸度が小さくなり、磁性部位２５ａを利用した磁気吸引力を増加させる効果に加えてプランジャ２４の摺動不良を抑制することができる。
【００３７】
なお、本発明は上記各実施形態に限定されるものではなく、以下のように具体化してもよく、その場合でも、上記各実施形態と同等の作用・効果が得られる。
（１）シャフト２５は、磁性部位２５ａと非磁性部位２５ｂとを圧接して構成されることに限らず、溶接等により磁性部位２５ａと非磁性部位２５ｂとを接合して構成されてもよい。
【００３８】
（２）シャフト２５の磁性部位２５ａは、プランジャ２４の中心孔２４ａに圧入されて固定されることに限らず、同軸的に固定される方法であればどのような固定方法であってもよい。
【００３９】
（３）プランジャ２４には、スプール側端面中央に中心孔２４ａが形成されることに限らず、スプール側端面に凹部が形成されてもよい。このとき、シャフト２５の磁性部位２５ａはこの凹部に圧入等により固定可能に形成され、シャフト２５の非磁性部位２５ｂはプランジャ２４に対し同軸的に突出するように形成される。
【図面の簡単な説明】
【００４０】
【図１】本発明の第１実施形態に係る電磁弁の構成概要を示す断面図である。
【図２】本発明の第２実施形態に係る電磁弁の構成概要を示す断面図である。
【符号の説明】
【００４１】
１０…電磁弁
２０…ソレノイド部
２２…コイル
２３…ステータコア
２４…プランジャ
２４ａ…中心孔（凹部）
２５…シャフト
２５ａ…磁性部位（磁性材料で構成される部位）
２５ｂ…非磁性部位（非磁性材料で構成される部位）
３０…ヨーク部
４０…コア部
４４…内周面
５１…磁気抵抗部
５３…薄肉部
６０…スプール部
７０…弁スリーブ
８０…スプール
【図１】
2009203993.tif 000003
【図２】
2009203993.tif 000004